(57)【特許請求の範囲】
【請求項１】
画像形成装置であって、
制御手段と、
前記画像形成装置と着脱可能な第１の操作パネルを装着するための接続部と、
前記画像形成装置に固定的に装着された第２の操作パネルとを備え、
前記制御手段は、
前記第１の操作パネルが前記画像形成装置に装着されていない場合に、前記画像形成装置に搭載された機能の動作モードを設定するためのモード設定画面を前記第２の操作パネルに表示させ、
前記第１の操作パネルが前記画像形成装置に装着されている場合に、前記画像形成装置に固有の状態情報を表示する状態情報表示画面を前記第２の操作パネルに表示させ、
前記第２の操作パネルは、各種情報を表示する表示部と、ジョブを開始させるスタートキーと、実行中のジョブを停止させるストップキーと、前記スタートキーおよび前記ストップキー以外の操作キーとを含み、
前記操作キーは、前記第１の操作パネルが前記画像形成装置に装着された状態において、前記第１の操作パネルに覆われるように構成される、画像形成装置。
【請求項２】
画像形成装置であって、
制御手段と、
前記画像形成装置と着脱可能な第１の操作パネルを装着するための接続部と、
前記画像形成装置に固定的に装着された第２の操作パネルとを備え、
前記制御手段は、
前記第１の操作パネルが前記画像形成装置に装着されていない場合に、前記画像形成装置に搭載された機能の動作モードを設定するためのモード設定画面を前記第２の操作パネルに表示させ、
前記第１の操作パネルが前記画像形成装置に装着されている場合に、前記画像形成装置に固有の状態情報を表示する状態情報表示画面を前記第２の操作パネルに表示させ、
前記第２の操作パネルは、輝度を調整可能な表示装置を含み、
前記制御手段は、前記第１の操作パネルが前記画像形成装置に装着されている場合に、前記第１の操作パネルが前記画像形成装置に装着されていない場合に比較して、前記第２の操作パネルの表示装置の輝度をより低くさせる、画像形成装置。
【請求項３】
画像形成装置であって、
制御手段と、
前記画像形成装置と着脱可能な第１の操作パネルを装着するための接続部と、
前記画像形成装置に固定的に装着された第２の操作パネルとを備え、
前記制御手段は、
前記第１の操作パネルが前記画像形成装置に装着されていない場合に、前記画像形成装置に搭載された機能の動作モードを設定するためのモード設定画面を前記第２の操作パネルに表示させ、
前記第１の操作パネルが前記画像形成装置に装着されている場合に、前記画像形成装置に固有の状態情報を表示する状態情報表示画面を前記第２の操作パネルに表示させ、
前記画像形成装置は、文書を読み取るための文書読取手段をさらに備え、
前記制御手段は、前記第１の操作パネルが前記画像形成装置に装着されている場合、前記第１の操作パネルに前記画像形成装置によって読み取られた文書が表示されているときに、少なくとも読み取った文書数およびメモリ残量を前記第２の操作パネルに表示させる、画像形成装置。
【請求項４】
画像形成装置であって、
制御手段と、
前記画像形成装置と着脱可能な第１の操作パネルを装着するための接続部と、
前記画像形成装置に固定的に装着された第２の操作パネルとを備え、
前記制御手段は、
前記第１の操作パネルが前記画像形成装置に装着されていない場合に、前記画像形成装置に搭載された機能の動作モードを設定するためのモード設定画面を前記第２の操作パネルに表示させ、
前記第１の操作パネルが前記画像形成装置に装着されている場合に、前記画像形成装置に固有の状態情報を表示する状態情報表示画面を前記第２の操作パネルに表示させ、
前記画像形成装置は、サーバーから文書をダウンロードするための文書ダウンロード手段をさらに備え、
前記制御手段は、前記第１の操作パネルが前記画像形成装置に装着されている場合、前記第１の操作パネルからの指示により前記画像形成装置がサーバーから文書をダウンロードしているとき、少なくとも文書のダウンロードの進行状況に関する情報を前記第２の操作パネルに表示させる、画像形成装置。
【請求項５】
画像形成装置であって、
制御手段と、
前記画像形成装置と着脱可能な第１の操作パネルを装着するための接続部と、
前記画像形成装置に固定的に装着された第２の操作パネルとを備え、
前記制御手段は、
前記第１の操作パネルが前記画像形成装置に装着されていない場合に、前記画像形成装置に搭載された機能の動作モードを設定するためのモード設定画面を前記第２の操作パネルに表示させ、
前記第１の操作パネルが前記画像形成装置に装着されている場合に、前記画像形成装置に固有の状態情報を表示する状態情報表示画面を前記第２の操作パネルに表示させ、
前記画像形成装置は、読み取った文書を他の装置へ送信する文書送信手段をさらに備え、
前記制御手段は、前記第１の操作パネルが前記画像形成装置に装着されている場合、前記第１の操作パネルからの指示により前記画像形成装置が読み取った文書を他の装置へ送信しているとき、少なくとも文書の送信の進行状況に関する情報を前記第２の操作パネルに表示させる、画像形成装置。
【請求項６】
画像形成装置であって、
制御手段と、
前記画像形成装置と着脱可能な第１の操作パネルを装着するための接続部と、
前記画像形成装置に固定的に装着された第２の操作パネルとを備え、
前記制御手段は、
前記第１の操作パネルが前記画像形成装置に装着されていない場合に、前記画像形成装置に搭載された機能の動作モードを設定するためのモード設定画面を前記第２の操作パネルに表示させ、
前記第１の操作パネルが前記画像形成装置に装着されている場合に、前記画像形成装置に固有の状態情報を表示する状態情報表示画面を前記第２の操作パネルに表示させ、
前記第１の操作パネルは、文書を記憶する記憶手段を含み、
前記制御手段は、前記第１の操作パネルが前記画像形成装置に装着されている場合、前記第１の操作パネルの前記記憶手段により記憶されている文書を画像形成装置に送信して印刷しているとき、
少なくとも前記第１の操作パネルから前記画像形成装置への文書の送信の進行状況に関する情報を前記第１の操作パネルに表示させ、
少なくとも前記画像形成装置が前記第１の操作パネルから受信した文書の印刷の進行状況を前記第２の操作パネルに表示させる、画像形成装置。
【請求項７】
画像形成装置であって、
制御手段と、
前記画像形成装置と着脱可能な第１の操作パネルを装着するための接続部と、
前記画像形成装置に固定的に装着された第２の操作パネルとを備え、
前記制御手段は、
前記第１の操作パネルが前記画像形成装置に装着されていない場合に、前記画像形成装置に搭載された機能の動作モードを設定するためのモード設定画面を前記第２の操作パネルに表示させ、
前記第１の操作パネルが前記画像形成装置に装着されている場合に、前記画像形成装置に固有の状態情報を表示する状態情報表示画面を前記第２の操作パネルに表示させ、
前記第１の操作パネルは、文書を記憶する記憶手段を含み、
前記制御手段は、前記第１の操作パネルが前記画像形成装置に装着されている場合、前記第１の操作パネルの前記記憶手段により記憶されている文書を画像形成装置に送信して前記第１の操作パネルから指定された宛先に送信するとき、
少なくとも前記第１の操作パネルから前記画像形成装置への文書の送信の進行状況に関する情報を前記第１の操作パネルに表示させ、
少なくとも前記画像形成装置が前記第１の操作パネルから受信した文書の送信の進行状況を前記第２の操作パネルに表示させる、画像形成装置。
【請求項８】
画像形成装置であって、
制御手段と、
前記画像形成装置と着脱可能な第１の操作パネルを装着するための接続部と、
前記画像形成装置に固定的に装着された第２の操作パネルとを備え、
前記制御手段は、
前記第１の操作パネルが前記画像形成装置に装着されていない場合に、前記画像形成装置に搭載された機能の動作モードを設定するためのモード設定画面を前記第２の操作パネルに表示させ、
前記第１の操作パネルが前記画像形成装置に装着されている場合に、前記画像形成装置に固有の状態情報を表示する状態情報表示画面を前記第２の操作パネルに表示させ、
前記第１の操作パネルは、文書を記憶する記憶手段を含み、
前記制御手段は、前記第１の操作パネルが前記画像形成装置に装着されている場合、前記画像形成装置によって読み取られた文書を前記第１の操作パネルの前記記憶手段に保存するとき、
少なくとも前記画像形成装置での文書の読み取りの進行状況に関する情報を前記第１の操作パネルに表示させ、
少なくとも前記記憶手段への保存の進行状況に関する情報を前記第２の操作パネルに表示させる、画像形成装置。
【請求項９】
請求項１から８のいずれか１項に記載の画像形成装置と、
前記画像形成装置の接続部に対して着脱可能な第１の操作パネルと、
を有する画像形成システム。
【発明の詳細な説明】
【技術分野】
【０００１】
本発明は、着脱可能な操作パネルと固定的に装着された操作パネルの２つの操作パネルを利用可能な画像形成装置および画像形成システムに関する。
【背景技術】
【０００２】
近年、携帯情報端末が高機能化し、個人がパーソナルコンピューターの代わりに所有して、業務や生活のさまざまな場面で用いられるようになってきている。こうした携帯情報端末は、電子化された文書をどこでも閲覧・編集できるようになっており、携帯情報端末と画像形成装置とを連携し、携帯情報端末内に保存された文書を画像形成装置で印刷したり、携帯情報端末内の文書を画像形成装置へ移して蓄積し、複数のユーザーで共有したりすることが求められている。また、携帯情報端末内に保存しているアドレス帳などのデータを利用して、画像形成装置で読み取った画像を指定した宛先に送信したり、画像形成装置で読み取った文書を携帯情報端末内へ保存したりすることも求められている。
【０００３】
こうした携帯情報端末には、フリッグ、スワイプ、ピンチイン／ピンチアウトなどのジェスチャーによる操作が可能で、より直接的、直感的な操作を可能としているものが多い。その一方で、ジェスチャーによる操作は、操作画面を撫でたり払ったりするため、複数人が共用する画像形成装置のような機器では、操作を嫌うユーザーもいる。
【０００４】
以上、説明したような背景より、個人の所有する携帯情報端末を画像形成装置の操作パネルとして使用する技術も開示されてきているが、一方で、携帯情報端末が装着されていないときでも、画像形成装置におけるプリントジョブの実行状況やトナーのエンプティー状況、セットされている用紙の情報をユーザーに伝える必要があり、画像形成装置が取り外しのできない操作パネルを有する構成にすることが考えられる。
【０００５】
従来、２つの操作パネルを有するよう構成した画像形成装置の技術が提案されている。例えば、特開２０１０−２４３７３３号公報（特許文献１）には、複数の操作パネルを有し、それらの操作パネルから画像形成条件を同時に入力設定できるようにする技術が開示されている。また、特開２００９−２８２０６５号公報（特許文献２）には、操作表示部を取り外し可能とするとともに補助表示部を設けることによって、部品点数の増加を抑制しながら視点の異なるユーザーの視認性を確保する技術が開示されている。
【先行技術文献】
【特許文献】
【０００６】
【特許文献１】特開２０１０−２４３７３３号公報
【特許文献２】特開２００９−２８２０６５号公報
【発明の概要】
【発明が解決しようとする課題】
【０００７】
ところが、従来の技術では、２つの操作パネルの両方で同時に設定ができると、例えば、ユーザーＡが画像形成装置に固定の操作パネルのみで操作を行い、部数などの設定値を変更して利用した後に、ユーザーＢが同じ画像形成装置を利用しようとすると、両方の操作パネルで設定値が異なっている可能性があり、ユーザーＢはどちらの設定が正しいのかを一目では判断できないという状態が生じるため、どちらの操作パネルで入力したものが
有効になるのか分からず、操作に戸惑う、という課題があった。
【０００８】
また、２つの操作パネルを連携させて各種の情報を表示させるように構成した場合、ユーザーは２つの操作パネルに表示された情報を把握するために２つの操作パネルの間で目線を移動しながら設定を行なう必要があり煩わしい、という課題があった。
【０００９】
逆に、同時に使用できる操作パネルを１つに制限しようとした場合にも様々な課題があった。例えば、片方の操作パネルをもう片方の操作パネルが覆うように構成すると、２つの操作パネルの表示領域を有効に活用して、より多くの情報をユーザーに提供することができない、という課題があった。
【００１０】
また、画像形成装置のトナーのエンプティー状況、給紙トレイにセットされている用紙の情報を携帯情報端末に表示しても、それらはユーザーには関心度の低い情報であり、むしろ情報過多となって操作の妨げとなる。さらに、画像形成装置における他のユーザーのプリントや送信などのジョブの実行状況が表示されると、ジョブが終了したユーザーは携帯情報端末を画像形成装置から取り外してよいのかどうか戸惑う、という課題があった。
【００１１】
その他にも、画像形成装置は、ユーザーニーズに応えるために仕様の異なる複数の機種があり、個人の携帯情報端末を画像形成装置の操作パネルとして使用する場合に、機種によって異なる仕様に起因した情報を個人情報端末にインストールする必要が生じ、ユーザーにとってはインストール作業が煩雑である、という課題が生じる。
【００１２】
本発明は、上記の事情に鑑みたものであり、個人の所有する携帯情報端末を画像形成装置の操作パネルとして利用するとともに、画像形成装置に固定的に装着された操作パネルも積極的に活用して、ユーザーの利便性を向上させることのできる構成を提供することを目的とする。
【課題を解決するための手段】
【００１３】
本発明の第１の局面に従う画像形成装置は、該画像形成装置に着脱可能な第１の操作パネルと、該画像形成装置に固定的に装着されて取り外しのできない第２の操作パネルと、該第１の操作パネルが該画像形成装置に装着されていないときは、該第２の操作パネルに該画像形成装置の搭載機能の動作モードを設定するモード設定画面を表示し、該第１の操作パネルが該画像形成装置に装着されているときは、該第２の操作パネルに該画像形成装置に固有の状態情報を表示する状態情報表示画面を表示するように制御する制御手段を有することを特徴とする。
【００１４】
第１の局面に従う画像形成装置では、第１の操作パネルが画像形成装置に装着されていないときは、第２の操作パネルに搭載機能の動作モードを設定するモード設定画面が表示され、第１の操作パネルが画像形成装置に装着されているときは、第２の操作パネルに画像形成装置に固有の状態情報を表示する状態情報表示画面が表示される。
【００１５】
本発明の第２の局面に従う画像形成装置は、第１の局面に従う画像形成装置において、該第２の操作パネルが、各種情報を表示する表示装置、ジョブを開始させるスタートキー、実行中のジョブを停止させるストップキー、該スタートキーと該ストップキー以外の操作キーを有し、該第１の操作パネルを該画像形成装置に装着したとき、該第２の操作パネルの該操作キーが該第１の操作パネルに覆われるように構成することを特徴とする。
【００１６】
第２の局面に従う画像形成装置では、第１の操作パネルを画像形成装置に装着したとき、第２の操作パネルの操作キーが第１の操作パネルに覆われる。
【００１７】
本発明の第３の局面に従う画像形成装置は、第１の局面に従う画像形成装置において、該第２の操作パネルが、そのバックライトを点灯、消灯を制御することが可能な表示装置を有し、該制御手段が、該第１の操作パネルが該画像形成装置に装着されていないときは、該第２の操作パネルの表示装置のバックライトを点灯し、該第１の操作パネルが該画像形成装置に装着されているときは、該第２の操作パネルの表示装置のバックライトを消灯するよう制御することを特徴とする。
【００１８】
第３の局面に従う画像形成装置では、第１の操作パネルが画像形成装置に装着されていないときは、第２の操作パネルの表示装置のバックライトが点灯され、第１の操作パネルが画像形成装置に装着されているときは、第２の操作パネルの表示装置のバックライトが消灯される。
【００１９】
本発明の第４の局面に従う画像形成装置は、第１の局面に従う画像形成装置において、該第２の操作パネルが、輝度を調整することが可能な表示装置を有し、該制御手段が、該第１の操作パネルが該画像形成装置に装着されているときは、該第１の操作パネルが該画像形成装置に装着されていないときよりも、該第２の操作パネルの表示装置の輝度を落とすよう制御することを特徴とする。
【００２０】
第４の局面に従う画像形成装置は、第１の操作パネルが画像形成装置に装着されているときは、装着されていないときよりも、第２の操作パネルの表示装置の輝度が落とされる。
【００２１】
本発明の第５の局面に従う画像形成装置は、第１の局面に従う画像形成装置において、該制御手段が、該第１の操作パネルが該画像形成装置に装着され、該第１の操作パネルに該画像形成装置が読み取った文書を表示しているとき、該第２の操作パネルには、少なくとも読み取った文書数とメモリ残量を表示することを特徴とする。
【００２２】
第５の局面に従う画像形成装置は、第１の操作パネルが画像形成装置に装着された状態で、第１の操作パネルに画像形成装置が読み取った文書を表示しているとき、第２の操作パネルには、少なくとも読み取った文書数とメモリ残量が表示される。
【００２３】
本発明の第６の局面に従う画像形成装置は、第１の局面に従う画像形成装置において、該制御手段が、該第１の操作パネルが該画像形成装置に装着され、該第１の操作パネルからの指示により該画像形成装置が外部のサーバーから文書をダウンロードして印刷しているとき、該第２の操作パネルには、少なくとも文書のダウンロードの進行状況に関する情報を表示することを特徴とする。
【００２４】
第６の局面に従う画像形成装置は、第１の操作パネルが画像形成装置に装着された状態で、第１の操作パネルからの指示により画像形成装置が外部のサーバーから文書をダウンロードして印刷しているとき、第２の操作パネルには、少なくとも文書のダウンロードの進行状況に関する情報が表示される。
【００２５】
本発明の第７の局面に従う画像形成装置は、第１の局面に従う画像形成装置において、該制御手段が、該第１の操作パネルが該画像形成装置に装着され、該第１の操作パネルからの指示により該画像形成装置が他の装置に読み取った文書を送信しているとき、該第２の操作パネルには、少なくとも文書送信の進行状況に関する情報を表示することを特徴とする。
【００２６】
第７の局面に従う画像形成装置は、第１の操作パネルが画像形成装置に装着された状態で、第１の操作パネルからの指示により画像形成装置が他の装置に読み取った文書を送信しているとき、第２の操作パネルには、少なくとも文書送信の進行状況に関する情報が表示される。
【００２７】
本発明の第８の局面に従う画像形成装置は、第１の局面に従う画像形成装置において、該第１の操作パネルが文書を記憶する記憶手段を有し、該制御手段が、該第１の操作パネルが該画像形成装置に装着され、該第１の操作パネルの該記憶手段により記憶されている文書を画像形成装置に送信して印刷しているとき、該第１の操作パネルには、少なくとも該第１の操作パネルから該画像形成装置への文書送信の進行状況に関する情報を表示し、該第２の操作パネルには、少なくとも該画像形成装置が該第１の操作パネルから受信した文書の印刷の進行状況を表示することを特徴とする。
【００２８】
第９の局面に従う画像形成装置は、第１の操作パネルが画像形成装置に装着された状態で、第１の操作パネルに記憶されている文書を画像形成装置に送信して印刷しているとき、第１の操作パネルには、少なくとも第１の操作パネルから画像形成装置への文書送信の進行状況に関する情報が表示され、第２の操作パネルには、少なくとも画像形成装置が第１の操作パネルから受信した文書の印刷の進行状況が表示される。
【００２９】
本発明の第９の局面に従う画像形成装置は、第１の局面に従う画像形成装置において、該第１の操作パネルが文書を記憶する記憶手段を有し、該制御手段が、該第１の操作パネルが該画像形成装置に装着され、該第１の操作パネルの該記憶手段により記憶されている文書を画像形成装置に送信して、該第１の操作パネルから指定した宛先に送信するとき、該第１の操作パネルには、少なくとも該第１の操作パネルから該画像形成装置への文書送信の進行状況に関する情報を表示し、該第２の操作パネルには、少なくとも該画像形成装置が該第１の操作パネルから受信した文書の送信の進行状況に関する情報を表示することを特徴とする。
【００３０】
第９の局面に従う画像形成装置は、第１の操作パネルが画像形成装置に装着された状態で、第１の操作パネに記憶されている文書を画像形成装置に送信して、第１の操作パネルから指定した宛先に送信するとき、第１の操作パネルには、少なくとも第１の操作パネルから画像形成装置への文書送信の進行状況に関する情報が表示され、第２の操作パネルには、少なくとも画像形成装置が第１の操作パネルから受信した文書の送信の進行状況に関する情報が表示される。
【００３１】
本発明の第１０の局面に従う画像形成装置は、第１の局面に従う画像形成装置において、該第１の操作パネルが文書を記憶する記憶手段を有し、該制御手段が、該第１の操作パネルが該画像形成装置に装着され、該画像形成装置で読み取った文書を該第１の操作パネルの該記憶手段に保存するとき、該第２の操作パネルには、少なくとも該画像形成装置での文書の読み取りの進行状況に関する情報を表示し、該第１の操作パネルには、少なくとも該記憶手段への保存の進行状況に関する情報を表示することを特徴とする。
【００３２】
第１０の局面に従う画像形成装置は、第１の操作パネルが画像形成装置に装着された状態で、画像形成装置で読み取った文書を第１の操作パネルに保存するとき、第２の操作パネルには、少なくとも画像形成装置での文書の読み取りの進行状況に関する情報が表示され、第１の操作パネルには、少なくとも該記憶手段への保存の進行状況に関する情報が表示される。
【００３３】
本発明の別の局面に従う画像形成装置は、制御手段と、画像形成装置と着脱可能な第１の操作パネルを装着するための接続部と、画像形成装置に固定的に装着された第２の操作パネルとを含む。制御手段は、第１の操作パネルが画像形成装置に装着されていない場合に、画像形成装置に搭載された機能の動作モードを設定するためのモード設定画面を第２の操作パネルに表示させ、第１の操作パネルが画像形成装置に装着されている場合に、モード設定画面を含まない、画像形成装置に固有の状態情報を表示する状態情報表示画面を第２の操作パネルに表示させ、第１の操作パネルにモード設定画面を表示させる。
【００３４】
本発明の別の局面に従う画像形成装置は、制御手段と、画像形成装置と着脱可能な第１の操作パネルを装着するための接続部と、画像形成装置に固定的に装着された第２の操作パネルとを含む。制御手段は、第１の操作パネルが画像形成装置に装着されていない場合に、画像形成装置に搭載された機能の動作モードを設定するためのモード設定画面を第２の操作パネルに表示させ、第１の操作パネルが画像形成装置に装着されている場合に、画像形成装置に固有の状態情報を表示する状態情報表示画面を第２の操作パネルに表示させる。第２の操作パネルは、各種情報を表示する表示部と、ジョブを開始させるスタートキーと、実行中のジョブを停止させるストップキーと、スタートキーおよびストップキー以外の操作キーとを含み、操作キーは、第１の操作パネルが画像形成装置に装着された状態において、第１の操作パネルに覆われるように構成される。
【００３６】
本発明の別の局面に従う画像形成装置は、制御手段と、画像形成装置と着脱可能な第１の操作パネルを装着するための接続部と、画像形成装置に固定的に装着された第２の操作パネルとを含む。制御手段は、第１の操作パネルが画像形成装置に装着されていない場合に、画像形成装置に搭載された機能の動作モードを設定するためのモード設定画面を第２の操作パネルに表示させ、第１の操作パネルが画像形成装置に装着されている場合に、画像形成装置に固有の状態情報を表示する状態情報表示画面を第２の操作パネルに表示させる。第２の操作パネルは、輝度を調整可能な表示装置を含み、制御手段は、第１の操作パネルが画像形成装置に装着されていない場合に、第１の操作パネルが画像形成装置に装着されている場合に比較して、第２の操作パネルの表示装置の輝度をより低くさせる。
【００３７】
本発明の別の局面に従う画像形成装置は、制御手段と、画像形成装置と着脱可能な第１の操作パネルを装着するための接続部と、画像形成装置に固定的に装着された第２の操作パネルとを含む。制御手段は、第１の操作パネルが画像形成装置に装着されていない場合に、画像形成装置に搭載された機能の動作モードを設定するためのモード設定画面を第２の操作パネルに表示させ、第１の操作パネルが画像形成装置に装着されている場合に、画像形成装置に固有の状態情報を表示する状態情報表示画面を第２の操作パネルに表示させる。画像形成装置は、文書を読み取るための文書読取手段をさらに含む。制御手段は、第１の操作パネルが画像形成装置に装着されている場合、第１の操作パネルに画像形成装置によって読み取られた文書が表示されているときに、少なくとも読み取った文書数およびメモリ残量を第２の操作パネルに表示させる。
【００３８】
本発明の別の局面に従う画像形成装置は、制御手段と、画像形成装置と着脱可能な第１の操作パネルを装着するための接続部と、画像形成装置に固定的に装着された第２の操作パネルとを含む。制御手段は、第１の操作パネルが画像形成装置に装着されていない場合に、画像形成装置に搭載された機能の動作モードを設定するためのモード設定画面を第２の操作パネルに表示させ、第１の操作パネルが画像形成装置に装着されている場合に、画像形成装置に固有の状態情報を表示する状態情報表示画面を第２の操作パネルに表示させる。画像形成装置は、サーバーから文書をダウンロードするための文書ダウンロード手段をさらに含む。制御手段は、第１の操作パネルが画像形成装置に装着されている場合、第１の操作パネルからの指示により画像形成装置がサーバーから文書をダウンロードしているとき、少なくとも文書のダウンロードの進行状況に関する情報を第２の操作パネルに表示させる。
【００３９】
本発明の別の局面に従う画像形成装置は、制御手段と、画像形成装置と着脱可能な第１の操作パネルを装着するための接続部と、画像形成装置に固定的に装着された第２の操作パネルとを含む。制御手段は、第１の操作パネルが画像形成装置に装着されていない場合に、画像形成装置に搭載された機能の動作モードを設定するためのモード設定画面を第２の操作パネルに表示させ、第１の操作パネルが画像形成装置に装着されている場合に、画像形成装置に固有の状態情報を表示する状態情報表示画面を第２の操作パネルに表示させる。画像形成装置は、読み取った文書を他の装置へ送信する文書送信手段をさらに含む。制御手段は、第１の操作パネルが画像形成装置に装着されている場合、第１の操作パネルからの指示により画像形成装置が読み取った文書を他の装置へ送信しているとき、少なくとも文書の送信の進行状況に関する情報を第２の操作パネルに表示させる。
【００４０】
本発明の別の局面に従う画像形成装置は、制御手段と、画像形成装置と着脱可能な第１の操作パネルを装着するための接続部と、画像形成装置に固定的に装着された第２の操作パネルとを含む。制御手段は、第１の操作パネルが画像形成装置に装着されていない場合に、画像形成装置に搭載された機能の動作モードを設定するためのモード設定画面を第２の操作パネルに表示させ、第１の操作パネルが画像形成装置に装着されている場合に、画像形成装置に固有の状態情報を表示する状態情報表示画面を第２の操作パネルに表示させる。第１の操作パネルは、文書を記憶する記憶手段を含み、制御手段は、第１の操作パネルが画像形成装置に装着されている場合、第１の操作パネルの記憶手段により記憶されている文書を画像形成装置に送信して印刷しているとき、少なくとも第１の操作パネルから画像形成装置への文書の送信の進行状況に関する情報を第１の操作パネルに表示させ、少なくとも画像形成装置が第１の操作パネルから受信した文書の印刷の進行状況を第２の操作パネルに表示させる。
【００４１】
本発明の別の局面に従う画像形成装置は、制御手段と、画像形成装置と着脱可能な第１の操作パネルを装着するための接続部と、画像形成装置に固定的に装着された第２の操作パネルとを含む。制御手段は、第１の操作パネルが画像形成装置に装着されていない場合に、画像形成装置に搭載された機能の動作モードを設定するためのモード設定画面を第２の操作パネルに表示させ、第１の操作パネルが画像形成装置に装着されている場合に、画像形成装置に固有の状態情報を表示する状態情報表示画面を第２の操作パネルに表示させる。第１の操作パネルは、文書を記憶する記憶手段を含み、制御手段は、第１の操作パネルが画像形成装置に装着されている場合、第１の操作パネルの記憶手段により記憶されている文書を画像形成装置に送信して第１の操作パネルから指定された宛先に送信するとき、少なくとも第１の操作パネルから画像形成装置への文書の送信の進行状況に関する情報を第１の操作パネルに表示させ、少なくとも画像形成装置が第１の操作パネルから受信した文書の送信の進行状況を第２の操作パネルに表示させる。
【００４２】
本発明の別の局面に従う画像形成装置は、制御手段と、画像形成装置と着脱可能な第１の操作パネルを装着するための接続部と、画像形成装置に固定的に装着された第２の操作パネルとを含む。制御手段は、第１の操作パネルが画像形成装置に装着されていない場合に、画像形成装置に搭載された機能の動作モードを設定するためのモード設定画面を第２の操作パネルに表示させ、第１の操作パネルが画像形成装置に装着されている場合に、画像形成装置に固有の状態情報を表示する状態情報表示画面を第２の操作パネルに表示させる。第１の操作パネルは、文書を記憶する記憶手段を含み、制御手段は、第１の操作パネルが画像形成装置に装着されている場合、画像形成装置によって読み取られた文書を第１の操作パネルの記憶手段に保存するとき、少なくとも画像形成装置での文書の読み取りの進行状況に関する情報を第１の操作パネルに表示させ、少なくとも記憶手段への保存の進行状況に関する情報を第２の操作パネルに表示させる。
【００４３】
本発明の別の局面に従う画像形成システムは、上記画像形成装置と、画像形成装置の接続部に対して着脱可能な第１の操作パネルとを有する。
【発明の効果】
【００４４】
本発明によれば、個人の所有する携帯情報端末を画像形成装置の操作パネルとして利用するとともに、画像形成装置に固定的に装着された操作パネルも積極的に活用して、ユーザーの利便性を向上させることができる。
【図面の簡単な説明】
【００４５】
【図１】本発明の実施の形態に従う画像形成装置システムの全体構成を示す模式図である。
【図２】図１に示す画像形成装置の内部構成を示す模式図である。
【図３】図１に示す携帯情報端末の内部構成を示す模式図である。
【図４】本発明の実施の形態に従う画像形成装置の操作パネルの外観を示す模式図である。
【図５】本発明の実施の形態に従う携帯情報端末の外観を示す模式図である。
【図６】本発明の実施の形態に従う携帯情報端末を画像形成装置に装着した状態を示す模式図である。
【図７】本発明の実施の形態に従う画像形成装置において実行される処理手順を示すフローチャートである。
【図８】図７のステップＳ１１４において実行される処理手順を示すフローチャートである。
【図９】本発明の実施の形態に従う画像形成装置および携帯情報端末によって提供されるユーザーインターフェイスの画面例を示す図である。
【図１０】本発明の実施の形態に従う画像形成装置および携帯情報端末によって提供されるユーザーインターフェイスの画面例を示す図である。
【図１１】本発明の実施の形態に従う画像形成装置および携帯情報端末によって提供されるユーザーインターフェイスの画面例を示す図である。
【図１２】本発明の実施の形態に従う画像形成装置および携帯情報端末によって提供されるユーザーインターフェイスの画面例を示す図である。
【図１３】本発明の実施の形態に従う画像形成装置および携帯情報端末によって提供されるユーザーインターフェイスの画面例を示す図である。
【図１４】本発明の実施の形態に従う画像形成装置および携帯情報端末によって提供されるユーザーインターフェイスの画面例を示す図である。
【図１５】本発明の実施の形態に従う携帯情報端末において実行される処理手順を示すフローチャートである。
【図１６】図１５のステップＳ３１４において実行される処理手順を示すフローチャートである。
【発明を実施するための形態】
【００４６】
本発明の実施の形態について、図面を参照しながら詳細に説明する。なお、図中の同一または相当部分については、同一符号を付してその説明は繰り返さない。
【００４７】
＜Ａ．画像形成システムの全体構成＞
まず、本実施の形態に従う画像形成システムの全体構成について説明する。
【００４８】
図１は、本発明の実施の形態に従う画像形成装置システムの全体構成を示す模式図である。図１を参照して、画像形成装置システムは、１つ以上の画像形成装置１−１〜１−ｎと、携帯情報端末２と、１つ以上の情報処理装置３−１〜３−ｍとを含む。
【００４９】
画像形成装置１−１〜１−ｎ（以下「画像形成装置１」とも総称する。）および情報処理装置３−１〜３−ｍ（以下「情報処理装置３」とも総称する。）は、いずれもネットワーク４を介して接続されている。ネットワーク４は、ＬＡＮ（Local Area Network）などの専用回線を用いたネットワーク、一般回線を用いたネットワーク、無線通信によるネットワークのいずれであってもよい。また、ネットワーク４は、外部ネットワーク５を介して、他のネットワークと接続されていてもよい。
【００５０】
画像形成装置１は、プリンタ、コピー機、ファクシミリ、複合機（ＭＦＰ：multi-functional peripheral）などのプリントエンジンを搭載した装置である。すなわち、画像形成装置１は、走査した原稿画像、および、いずれかの情報処理装置３から受信したプリントデータから生成した画像、についての複写画像を用紙上に形成できる。プリントデータは、典型的には、情報処理装置３のオペレーティングシステムやアプリケーションプログラムが発行する描画命令を、プリンタードライバーによって画像形成装置１が処理可能なページ記述言語に変換したページ記述言語による描画命令を含む。プリントデータは、ＰＤＦ（Portable Document Format）、ＴＩＦＦ（Tagged Image File Format）、ＪＰＥＧ（Joint Photographic Experts Group）、ＸＰＳ（XML Paper Specification）等のファイルフォーマットで記述された文書データを含み得る。
【００５１】
また、走査した原稿画像は、ネットワーク４を介して、情報処理装置３や、さらにはその他の画像形成装置へ送信することもできる。さらには、外部ネットワーク５を介して、別のネットワークに接続された他の画像形成装置や情報処理装置へ原稿画像を送信することもできる。さらに、操作した原稿画像や情報処理装置３から受信した文書データを固定記憶装置に蓄積することもできる。
【００５２】
携帯情報端末２は、ＣＰＵ（Central Processing Unit）、ＲＡＭ（Random Access Memory）、固定記憶装置（フラッシュメモリなど）、モニター、タッチ操作可能なＬＣＤパネル等を有する携帯型のコンピュータ装置である。電子化された文書を蓄積して持ち運び、どこででも閲覧や編集を行なうことができる。また、無線通信する手段を有し、画像形成装置１や情報処理装置３との間で文書（データ）の送受信を行なうことができる。
【００５３】
情報処理装置３は、ＣＰＵ、ＲＡＭ、固定記憶装置（ハードディスク装置など）、モニター、キーボード、マウス等の接続された汎用的なコンピュータ装置である。情報処理装置３は、ユーザーの指示によりプリントデータを生成し、生成したプリントデータを画像形成装置１へ送信することもできる。
【００５４】
＜Ｂ．各装置の構成＞
（ｂ１：画像形成装置）
次に、図１に示す画像形成装置１の構成について説明する。
【００５５】
図２は、図１に示す画像形成装置１の内部構成を示す模式図である。画像形成装置１は、制御手段として、ＣＰＵ１０１を含む制御部１００を有している。制御部１００のＣＰＵ１０１には、制御プログラムの格納されたＲＯＭ１０２と、作業用のＳ−ＲＡＭ（Static Random Access Memory）１０３と、画像形成に関わる各種の設定を記憶するバッテリバックアップされたＮＶ−ＲＡＭ（不揮発性メモリ）１０４と、時計ＩＣ１０５とがバス１０６を介して接続されている。
【００５６】
さらに、制御部１００には、原稿画像を読み取るスキャナー１２０と、各種の入力を行なうキーや表示部を有する操作パネル１３０と、ネットワーク４を介して接続された情報処理装置３をはじめとする外部の装置との間で各種の情報を送受信するためのネットワークＩ／Ｆ（インターフェイス）１６０と、ネットワークＩ／Ｆ１６０により受信したプリントデータから複写画像を生成するプリンタコントローラー１５０と、複写画像を用紙上に形成する画像出力装置１４０と、無線信号を介して他の装置との間で情報を送受信するためのＷｉｒｅｌｅｓｓ＿ＬＡＮ＿Ｉ／Ｆ１７０とが、それぞれバス１０６を介して接続されている。スキャナー１２０は、文書を読み取るための文書読取手段に相当する。また、操作パネル１３０は、画像形成装置１に固定的に装着された第２の操作パネルに相当する。また、ネットワークＩ／Ｆ１６０は、サーバーから文書をダウンロードするための文書ダウンロード手段、および、読み取った文書を他の装置へ送信する文書送信手段に相当する。
【００５７】
また、制御部１００には、固定記憶装置１１０がバス１０６を介して接続されている。固定記憶装置１１０は、典型的には、ハードディスク装置である。
【００５８】
画像形成装置１は、複数の短距離無線Ｉ／Ｆ１８０−１，１８０−２，１８０−３（以下「短距離無線Ｉ／Ｆ１８０」とも総称する。）を有しており、携帯情報端末２との通信には、主として、これらの短距離無線Ｉ／Ｆ１８０が用いられる。短距離無線Ｉ／Ｆ１８０は、例えば、Ｂｌｕｅｔｏｏｔｈ（登録商標）やＩｒＤＡなどである。これらの短距離無線Ｉ／Ｆ１８０は、画像形成装置１のそれぞれ異なる位置に配置される。例えば、短距離無線Ｉ／Ｆ１８０−１は、画像形成装置１が印刷した用紙を排紙する排紙部に配置され、短距離無線Ｉ／Ｆ１８０−２は、装置中央の操作パネル部に配置され、短距離無線Ｉ／Ｆ１８０−３は、排紙部とは反対側に配置される。
【００５９】
さらに、画像形成装置１は、携帯情報端末２を装着するＤｏｃｋコネクタ１９０を有する。このＤｏｃｋコネクタ１９０は、画像形成装置１と着脱可能な携帯情報端末２（第１の操作パネル）を装着するための接続部に相当する。
【００６０】
（ｂ２：携帯情報端末）
次に、図１に示す携帯情報端末２の構成について説明する。
【００６１】
図３は、図１に示す携帯情報端末２の内部構成を示す模式図である。携帯情報端末２は、ＣＰＵ２０１を含む制御部２００を有している。制御部２００のＣＰＵ２０１には、制御プログラムの格納されたＲＯＭ２０２と、作業用のＲＡＭ２０３とがバス２０６を介して接続されている。
【００６２】
さらに、制御部２００には、各種の情報を表示するとともに画面を直接タッチした操作入力を受け付けるタッチパネル２２０と、Ｗｉｒｅｌｅｓｓ＿ＬＡＮ＿Ｉ／Ｆ２７０と、短距離無線Ｉ／Ｆ２８０とが、それぞれバス２０６を介して接続されている。
【００６３】
また、制御部１００には、固定記憶装置２１０がバス２０６を介して接続されている。固定記憶装置２１０は、典型的には、ハードディスク装置である。この固定記憶装置２１０は、文書を記憶する記憶手段に相当する。
【００６４】
さらに、携帯情報端末２は、画像形成装置１に装着して各種のデータを送受信するＤｏｃｋコネクタ２９０を有する。
【００６５】
＜Ｃ．提供されるユーザーインターフェイスの概要＞
次に、本実施の形態において提供されるユーザーインターフェイスについて説明する。
【００６６】
図４は、本発明の実施の形態に従う画像形成装置１の操作パネル１３０の外観を示す模式図である。図５は、本発明の実施の形態に従う携帯情報端末２の外観を示す模式図である。図６は、本発明の実施の形態に従う携帯情報端末２を画像形成装置１に装着した状態を示す模式図である。
【００６７】
図４を参照して、画像形成装置１に固定的に装着されて取り外しのできない操作パネル１３０は、ジョブを開始させるスタートキー１３１と、実行中のジョブを停止させるストップキー１３２と、スタートキー１３１とストップキー１３２以外の操作キーであるテンキーを含む操作キー１３３と、各種情報を表示する表示部１３４とを含む。表示部１３４は、液晶表示装置であり、バックライトの点灯／消灯を制御できる。すなわち、操作パネル１３０は、点灯および消灯を制御可能なバックライトを有する表示部１３４を含む。このバックライトの点灯／消灯は、制御部１００によって制御される。さらに、バックライトの点灯／消灯だけではなく、輝度を調整可能にしてもよい。
【００６８】
図５を参照して、携帯情報端末２は、各種プログラムをダウンロードして実行可能になっており、本実施の形態においては、画像形成装置１に着脱可能な第１の操作パネルとして機能する。より具体的には、ユーザーがタッチパネル２２０上で「ＭＦＰ携帯」のプログラムを選択することで、操作パネルとしての機能が提供される。
【００６９】
この操作パネルとしての機能は、画像形成装置１と無線通信を介して提供されてもよいし、図６に示すように、携帯情報端末２を画像形成装置１に装着した状態で提供されてもよい。携帯情報端末２を画像形成装置１に装着する場合には、画像形成装置１の操作パネル１３０上に設けられたＤｏｃｋコネクタ１９０に、携帯情報端末２のＤｏｃｋコネクタ２９０を連結する。これにより、以下に示すようなユーザーインターフェイスに係る処理が実行されることになる。
【００７０】
図６に示すように、操作キー１３３は、携帯情報端末２が画像形成装置１に装着された状態において、携帯情報端末２に覆われるように構成されている。そのため、携帯情報端末２が画像形成装置１に装着された状態では、画像形成装置１に搭載されている機能に対する各種操作は、主としては、携帯情報端末２のタッチパネル２２０を介して行なわれることになる。
【００７１】
一方で、第１の操作パネルとして機能する状態の携帯情報端末２が画像形成装置１に装着されていない場合には、操作パネル１３０には、画像形成装置１に搭載された機能の動作モードを設定するための各種のモード設定画面が表示される。すなわち、画像形成装置１における通常のユーザーインターフェイスが提供される。そして、第１の操作パネルとして機能する状態の携帯情報端末２が画像形成装置１に装着されている場合には、第２の操作パネルには、画像形成装置１に固有の状態情報を表示する状態情報表示画面を表示させる。
【００７２】
このように、本実施の形態においては、第１の操作パネルとして機能する携帯情報端末２が画像形成装置１に装着されているか否かに応じて、操作パネル１３０には状況に応じて適切な内容を表示する。特に、携帯情報端末２が画像形成装置１に装着されている場合には、画像形成装置１と操作パネル１３０とを連携させることができる。
【００７３】
＜Ｄ．処理手順＞
次に、本実施の形態に従う画像形成装置１および携帯情報端末２において実行される処理手順について説明する。
【００７４】
（ｄ１：画像形成装置１における処理）
図７は、本発明の実施の形態に従う画像形成装置１において実行される処理手順を示すフローチャートである。図８は、図７のステップＳ１１４において実行される処理手順を示すフローチャートである。図７および図８に示す各ステップは、ＣＰＵ１０１を含む制御部１００によって実行される。
【００７５】
図７を参照して、制御部１００は、電源の投入等に応答して、初期化処理を実行する（ステップＳ１００）。この初期化処理は、メモリのクリア、標準モードの設定などの処理を含む。この初期化処理の中では、操作パネル１３０上の表示部１３４のバックライトもＯＮされる。すなわち、制御部１００は、携帯情報端末２が画像形成装置１に装着されていない場合に、操作パネル１３０の表示部１３４のバックライトを点灯させる。
【００７６】
初期化処理が終了すると、制御部１００は、操作パネル１３０上の表示部１３４に初期画面を表示する（ステップＳ１０２）。
【００７７】
次に、制御部１００は、Ｄｏｃｋコネクタ１９０を介して携帯情報端末２が装着されているか否か判断する（ステップＳ１０４）。上述の図４には、携帯情報端末２が装着されていない状態の操作パネル１３０の一例を示し、図６には、携帯情報端末２が装着されている状態の操作パネルの１３０一例を示す。
【００７８】
携帯情報端末２が装着されている場合（ステップＳ１０４においてＹＥＳの場合）には、制御部１００は、操作パネル１３０上の表示部１３４のバックライトをＯＦＦする（ステップＳ１０６）。すなわち、制御部１００は、携帯情報端末２が画像形成装置１に装着されている場合に、操作パネル１３０の表示部１３４のバックライトを消灯させる。
【００７９】
なお、バックライトを完全にＯＦＦするのではなく、輝度を落とすだけでもよい。すなわち、制御部１００は、携帯情報端末２が画像形成装置１に装着されている場合に、携帯情報端末２が画像形成装置１に装着されていない場合に比較して、操作パネル１３０の表示部１３４のバックライトの輝度をより低くさせる。
【００８０】
バックライトをＯＦＦする、または輝度を落としたら、処理はステップＳ１０４へ戻る。
【００８１】
携帯情報端末２が装着されていない場合（ステップＳ１０４においてＮＯの場合）には、制御部１００は、携帯情報端末２が取り外されたか否かを判断する（ステップＳ１０８）。携帯情報端末２が取り外された場合（ステップＳ１０８においてＹＥＳの場合）には、制御部１００は、操作パネル１３０上の表示部１３４のバックライトをＯＮする（ステップＳ１１０）。なお、輝度を落とすだけの場合であれば、輝度が既定値に戻される。バックライトをＯＮする、または輝度を既定値に戻したら、処理はステップＳ１０４へ戻る。
【００８２】
携帯情報端末２が取り外されていない場合（ステップＳ１０８においてＮＯの場合）には、制御部１００は、携帯情報端末２のタッチパネル２２０に対するユーザー操作によって、何らかの処理が要求されたか否かを判断する（ステップＳ１１２）。携帯情報端末２のタッチパネル２２０に対するユーザー操作によって、何らかの処理が要求された場合（ステップＳ１１２においてＹＥＳの場合）には、制御部１００は、携帯情報端末２から要求された処理を実行する（ステップＳ１１４）。この携帯情報端末２から要求された処理を実行する手順については、図８を参照して後述する。携帯情報端末２から要求された処理の実行が完了すると、処理はステップＳ１０４へ戻る。
【００８３】
携帯情報端末２のタッチパネル２２０に対するユーザー操作によっては何らの処理も要求されていない場合（ステップＳ１１２においてＮＯの場合）には、制御部１００は、操作パネル１３０上のキースイッチ群または表示部１３４に対するユーザー操作によって、何らかの処理が要求されたかを判断する（ステップＳ１１６）。操作パネル１３０上のキースイッチ群または表示部１３４に対するユーザー操作によって、何らかの処理が要求された場合（ステップＳ１１６においてＹＥＳの場合）には、制御部１００は、操作パネル１３０上で要求された処理を実行する（ステップＳ１１８）。この操作パネル１３０上で要求された処理は、コピー処理や各種の設定処理などを含む。操作パネル１３０上で要求された処理の実行が完了すると、処理はステップＳ１０４へ戻る。
【００８４】
画像形成装置１の操作パネル１３０に対するユーザー操作によっては何らの処理も要求されていない場合（ステップＳ１１６においてＮＯの場合）には、制御部１００は、外部の装置から何らかの処理が要求されたか否かを判断する（ステップＳ１２０）。外部の装置から何らかの処理が要求された場合（ステップＳ１２０においてＹＥＳの場合）には、制御部１００は、外部の装置から要求された処理を実行する（ステップＳ１２２）。この外部の装置から要求された処理は、情報処理装置３から送信されたプリントジョブの処理やＮＶ−ＲＡＭ１０４に記憶されている各種設定の変更処理などを含む。外部の装置から要求された処理の実行が完了すると、処理はステップＳ１０４へ戻る。
【００８５】
外部の装置からは何らかの処理も要求されていない場合（ステップＳ１２０においてＮＯの場合）には、処理はステップＳ１０４へ戻って、上述の処理が繰り返される。
【００８６】
（ｄ２：携帯情報端末から要求された処理）
次に、図７のステップＳ１１４において実行される、携帯情報端末２から要求された処理を実行する手順について説明する。
【００８７】
図９〜図１４は、本発明の実施の形態に従う画像形成装置１および携帯情報端末２によって提供されるユーザーインターフェイスの画面例を示す図である。より具体的には、図９は、コピー時に文書を読み取っている状態に対応する。図１０は、外部のサーバーから文書をダウンロードして印刷している状態に対応する。図１１は、他の装置に文書を送信している状態に対応する。図１２は、携帯情報端末２内の文書を画像形成装置１から他の装置に送信している状態に対応する。図１３は、携帯情報端末２内の文書を画像形成装置１で印刷している状態に対応する。図１４は、原稿を読み取って携帯情報端末２内に保存している状態に対応する。
【００８８】
図８を参照して、制御部１００は、携帯情報端末２から要求された処理が原稿の読み取りであるか否かを判断する（ステップＳ２００）。携帯情報端末２から要求された処理が原稿の読み取りである場合（ステップＳ２００においてＹＥＳの場合）には、制御部１００は、操作パネル１３０の表示部１３４に読み取った文書数およびメモリ残量を表示する（ステップＳ２０２）。原稿の読み取りの要求とは、画像形成装置１に搭載されたスキャナー１２０によって原稿をスキャンして原稿画像を生成する処理の開始を要求するものである。このとき、操作パネル１３０の表示部１３４には、図９（ａ）に示すような画面が表示される。
【００８９】
携帯情報端末２から要求された処理が原稿の読み取りではない場合（ステップＳ２００においてＮＯの場合）には、制御部１００は、携帯情報端末２から要求された処理がダウンロード印刷であるか否かを判断する（ステップＳ２０４）。携帯情報端末２から要求された処理がダウンロード印刷である場合（ステップＳ２０４においてＹＥＳの場合）には、制御部１００は、操作パネル１３０の表示部１３４に文書のダウンロード状況を表示する（ステップＳ２０６）。ダウンロード印刷とは、画像形成装置１が外部のサーバーから文書をダウンロードして印刷することを要求するものである。このとき、操作パネル１３０の表示部１３４には、図１０（ａ）に示すような画面が表示される。
【００９０】
携帯情報端末２から要求された処理がダウンロード印刷ではない場合（ステップＳ２０４においてＮＯの場合）には、制御部１００は、携帯情報端末２から要求された処理が文書の送信であるか否かを判断する（ステップＳ２０８）。携帯情報端末２から要求された処理が文書の送信である場合（ステップＳ２０８においてＹＥＳの場合）には、制御部１００は、操作パネル１３０の表示部１３４に文書の送信状況を表示する（ステップＳ２１０）。文書の送信とは、画像形成装置１に対して、読み取った文書を他の装置へ送信することを要求するものである。このとき、操作パネル１３０の表示部１３４には、図１１（ａ）に示すような画面が表示される。
【００９１】
携帯情報端末２から要求された処理が文書の送信ではない場合（ステップＳ２０８においてＮＯの場合）には、制御部１００は、携帯情報端末２から要求された処理が携帯情報端末２内の文書の送信であるか否かを判断する（ステップＳ２１２）。携帯情報端末２から要求された処理が携帯情報端末２内の文書の送信である場合（ステップＳ２１２においてＹＥＳの場合）には、制御部１００は、操作パネル１３０の表示部１３４に携帯情報端末２内の文書の送信状況を表示する（ステップＳ２１４）。携帯情報端末２内の文書の送信とは、画像形成装置１に対して、携帯情報端末２内に記憶されている文書を画像形成装置１へ送信を要求するものである。このとき、操作パネル１３０の表示部１３４には、図１２（ａ）に示すような画面が表示される。
【００９２】
携帯情報端末２から要求された処理が携帯情報端末２内の文書の送信ではない場合（ステップＳ２１２においてＮＯの場合）には、制御部１００は、携帯情報端末２から要求された処理が携帯情報端末２内の文書の印刷であるか否かを判断する（ステップＳ２１６）。携帯情報端末２から要求された処理が携帯情報端末２内の文書の印刷である場合（ステップＳ２１６においてＹＥＳの場合）には、制御部１００は、操作パネル１３０の表示部１３４に携帯情報端末内の文書の印刷状況を表示する（ステップＳ２１８）。携帯情報端末２内の文書の印刷とは、画像形成装置１に対して、携帯情報端末２内に記憶されている文書を画像形成装置１へ送信して印刷することを要求するものである。このとき、操作パネル１３０の表示部１３４には、図１３（ａ）に示すような画面が表示される。
【００９３】
携帯情報端末２から要求された携帯情報端末２内の文書の印刷ではない場合（ステップＳ２１６においてＮＯの場合）には、制御部１００は、携帯情報端末２から要求された処理が読み取った原稿の携帯情報端末２への保存であるか否かを判断する（ステップＳ２２０）。携帯情報端末２から要求された処理が読み取った原稿の携帯情報端末２内への保存である場合（ステップＳ２２０においてＹＥＳの場合）には、制御部１００は、操作パネル１３０の表示部１３４に文書の読み取り処理の進行状況を表示する（ステップＳ２２２）。読み取った原稿の携帯情報端末２内への保存とは、画像形成装置１に対して、スキャナー１２０によって原稿を読み取って原稿画像を生成し、当該生成した原稿画像を携帯情報端末２に保存するために送信することを要求するものである。このとき、操作パネル１３０の表示部１３４には、図１４（ａ）に示すような画面が表示される。
【００９４】
携帯情報端末２から要求された処理が読み取った原稿の携帯情報端末２への保存ではない場合（ステップＳ２２０においてＮＯの場合）には、制御部１００は、上記以外の携帯情報端末２から要求された処理を実行する（ステップＳ２２４）。そして、図７のステップＳ１１４に示す処理は終了する。
【００９５】
（ｄ３：携帯情報端末２における処理）
図１５は、本発明の実施の形態に従う携帯情報端末２において実行される処理手順を示すフローチャートである。図１６は、図１５のステップＳ３１４において実行される処理手順を示すフローチャートである。図１５および図１６に示す各ステップは、ＣＰＵ２０１を含む制御部２００によって実行される。
【００９６】
図１５を参照して、制御部２００は、電源の投入等に応答して、初期化処理を実行する（ステップＳ３００）。この初期化処理は、メモリのクリア、標準モードの設定などの処理を含む。
【００９７】
初期化処理が終了すると、制御部２００は、タッチパネル２２０上のメニュー画面を表示する（ステップＳ３０２）。上述した図５には、表示されるメニュー画面の一例を示す。より具体的には、メニュー画面には、携帯情報端末２で実行可能なアプリケーションが一覧表示される。その中の１つとして「ＭＦＰ連携」が含まれており、画像形成装置１に携帯情報端末２内の文書を送信して、該文書を印刷したり、画像形成装置１内に蓄積したりすることができる。
【００９８】
次に、制御部２００は、「ＭＦＰ連携」アプリケーションがユーザーによって選択されたか否かを判断する（ステップＳ３０４）。「ＭＦＰ連携」アプリケーションが選択されていない場合（ステップＳ３０４においてＮＯの場合）には、処理はステップＳ３１８へ進む。
【００９９】
「ＭＦＰ連携」アプリケーションが選択されている場合（ステップＳ３０４においてＹＥＳの場合）には、制御部２００は、Ｄｏｃｋコネクタ２９０を介して、画像形成装置１との接続を試みる（ステップＳ３０６）。そして、制御部２００は、画像形成装置１との接続に成功したか否かを判断する（ステップＳ３０８）。画像形成装置１との接続に成功した場合（ステップＳ３０８においてＹＥＳの場合）には、処理はステップＳ３１２へ進み、画像形成装置１との接続に成功しなかった場合（ステップＳ３０８においてＮＯの場合）には、画像形成装置１と接続できない旨をユーザーへ通知する（ステップＳ３１０）。そして、処理はステップＳ３１８へ進む。
【０１００】
画像形成装置１との接続に成功した場合（ステップＳ３０８においてＹＥＳの場合）には、制御部２００は、携帯情報端末２のタッチパネル２２０に対するユーザー操作によって、何らかの処理が要求されたか否かを判断する（ステップＳ３１２）。携帯情報端末２のタッチパネル２２０に対するユーザー操作によって、何らかの処理が要求された場合（ステップＳ３１２においてＹＥＳの場合）には、制御部２００は、ユーザーにより要求された処理を実行する（ステップＳ３１４）。このユーザーにより要求された処理を実行する手順については、図１６を参照して後述する。ユーザーにより要求された処理の実行が完了すると、処理はステップＳ３０４へ戻る。
【０１０１】
携帯情報端末２のタッチパネル２２０に対するユーザー操作によって、何らかの処理も要求されていない場合（ステップＳ３１２においてＮＯの場合）には、制御部２００は、「ＭＦＰ連携」アプリケーションの実行の中止が要求されたか否かを判断する（ステップＳ３１６）。「ＭＦＰ連携」アプリケーションの実行中止が要求されていない場合（ステップＳ３１６においてＮＯの場合）には、処理はステップＳ３１２へ戻って、上述の処理が繰り返される。「ＭＦＰ連携」アプリケーションの実行中止が要求された場合（ステップＳ３１６においてＹＥＳの場合）には、処理はステップＳ３０４へ戻って、上述の処理が繰り返される。
【０１０２】
ステップＳ３１８において、制御部２００は、「ＭＦＰ連携」アプリケーション以外のメニューが選択されたか否かを判断する（ステップＳ３１８）。「ＭＦＰ連携」アプリケーション以外のメニューが選択された場合（ステップＳ３１８においてＹＥＳの場合）には、制御部２００は、選択されたメニューを実行する（ステップＳ３２０）。そして、処理はステップＳ３０４へ戻って、上述の処理が繰り返される。なお、「ＭＦＰ連携」アプリケーション以外のメニューとは、Ｗｅｂブラウザー、メーラーソフト、カレンダーなど様々なアプリケーションを含む。
【０１０３】
「ＭＦＰ連携」アプリケーション以外のメニューが選択されてはいない場合（ステップＳ３１８においてＮＯの場合）には、処理はステップＳ３０４へ戻って、上述の処理が繰り返される。
【０１０４】
（ｄ４：ユーザーにより要求された処理）
次に、図１５のステップＳ３１４において実行される、ユーザーから要求された処理を実行する手順について説明する。
【０１０５】
図１６を参照して、制御部２００は、ユーザーから要求された処理が原稿の読み取りであるか否かを判断する（ステップＳ４００）。ユーザー要求された処理が原稿の読み取りである場合（ステップＳ４００においてＹＥＳの場合）には、制御部２００は、タッチパネル２２０に読み取った画像を表示する（ステップＳ４０２）。このとき、タッチパネル２２０には、図９（ｂ）に示すような画面が表示される。
【０１０６】
ユーザーから要求された処理が原稿の読み取りではない場合（ステップＳ４００においてＮＯの場合）には、制御部２００は、ユーザーから要求された処理がダウンロード印刷であるか否かを判断する（ステップＳ４０４）。ユーザーから要求された処理がダウンロード印刷である場合（ステップＳ４０４においてＹＥＳの場合）には、制御部２００は、タッチパネル２２０にサーバー内の文書の一覧を表示する（ステップＳ４０６）。このとき、タッチパネル２２０には、図１０（ｂ）に示すような画面が表示される。
【０１０７】
ユーザーから要求された処理がダウンロード印刷ではない場合（ステップＳ４０４においてＮＯの場合）には、制御部２００は、ユーザーから要求された処理が文書の送信であるか否かを判断する（ステップＳ４０８）。ユーザーから要求された処理が文書の送信である場合（ステップＳ４０８においてＹＥＳの場合）には、制御部２００は、タッチパネル２２０に宛先選択および送信設定画面を表示する（ステップＳ４１０）。このとき、タッチパネル２２０には、図１１（ｂ）に示すような画面が表示される。
【０１０８】
ユーザーから要求された処理が文書の送信ではない場合（ステップＳ４０８においてＮＯの場合）には、制御部２００は、ユーザーから要求された処理が携帯情報端末２内の文書の送信であるか否かを判断する（ステップＳ４１２）。ユーザーから要求された処理が携帯情報端末２内の文書の送信である場合（ステップＳ４１２においてＹＥＳの場合）には、制御部２００は、タッチパネル２２０に自端末内の文書の一覧を表示する（ステップＳ４１４）。このとき、タッチパネル２２０には、図１２（ｂ）に示すような画面が表示される。
【０１０９】
ユーザーから要求された処理が携帯情報端末２内の文書の送信ではない場合（ステップＳ４１２においてＮＯの場合）には、制御部２００は、ユーザーから要求された処理が携帯情報端末２内の文書の印刷であるか否かを判断する（ステップＳ４１６）。ユーザーから要求された処理が携帯情報端末２内の文書の印刷である場合（ステップＳ４１６においてＹＥＳの場合）には、制御部２００は、タッチパネル２２０に自端末内の文書の一覧を表示する（ステップＳ４１８）。このとき、タッチパネル２２０には、図１３（ａ）に示すような画面が表示される。
【０１１０】
ユーザーから要求された携帯情報端末２内の文書の印刷ではない場合（ステップＳ４１６においてＮＯの場合）には、制御部２００は、ユーザーから要求された処理が読み取った原稿の携帯情報端末２への保存であるか否かを判断する（ステップＳ４２０）。ユーザーから要求された処理が読み取った原稿の携帯情報端末２内への保存である場合（ステップＳ４２０においてＹＥＳの場合）には、制御部２００は、タッチパネル２２０に文書の保存状況を表示する（ステップＳ４２２）。このとき、タッチパネル２２０には、図１４（ｂ）に示すような画面が表示される。
【０１１１】
ユーザーから要求された処理が読み取った原稿の携帯情報端末２への保存ではない場合（ステップＳ４２０においてＮＯの場合）には、制御部２００は、上記以外のユーザーから要求された処理を実行する（ステップＳ４２４）。そして、図１５のステップＳ３１４に示す処理は終了する。
【０１１２】
（ｄ５．ユーザーインターフェイス）
上述したように、携帯情報端末２が画像形成装置１に装着されている場合には、ユーザーによって指示された機能に関連した内容が、操作パネル１３０の表示部１３４および携帯情報端末２のタッチパネル２２０において表示される。
【０１１３】
図９に示すように、携帯情報端末２が画像形成装置１に装着されている場合には、携帯情報端末２に画像形成装置１によって読み取られた文書が表示されているとき（図９（ｂ）参照）に、制御部１００は、少なくとも読み取った文書数およびメモリ残量を操作パネル１３０に表示させる（図９（ａ）参照）。
【０１１４】
図１０に示すように、携帯情報端末２が画像形成装置１に装着されている場合には、携帯情報端末２のタッチパネル２２０からの指示により画像形成装置１がサーバーから文書をダウンロードしているとき（図１０（ｂ）参照）、制御部１００は、少なくとも文書のダウンロードの進行状況に関する情報を操作パネル１３０の表示部１３４に表示させる（図１０（ａ）参照）。
【０１１５】
図１１に示すように、携帯情報端末２が画像形成装置１に装着されている場合には、携帯情報端末２のタッチパネル２２０からの指示により画像形成装置１が読み取った文書を他の装置へ送信しているとき（図１１（ｂ）参照）、制御部１００は、少なくとも文書の送信の進行状況に関する情報を操作パネル１３０の表示部１３４に表示させる（図１１（ａ）参照）。
【０１１６】
図１２および図１３に示すように、携帯情報端末２が画像形成装置１に装着されている場合には、携帯情報端末２の固定記憶装置２１０により記憶されている文書を画像形成装置１に送信して印刷しているとき（図１２（ｂ）および図１３（ｂ）参照）、制御部１００は、少なくとも携帯情報端末２から画像形成装置１への文書の送信の進行状況に関する情報を操作パネル１３０の表示部１３４に表示させ、少なくとも画像形成装置１が携帯情報端末２から受信した文書の印刷の進行状況を操作パネル１３０の表示部１３４に表示させる。
【０１１７】
図１１に示すように、携帯情報端末２が画像形成装置１に装着されている場合には、携帯情報端末２の固定記憶装置２１０により記憶されている文書を画像形成装置１に送信して携帯情報端末２から指定された宛先に送信するとき（図１１（ｂ）参照）、制御部１００は、少なくとも携帯情報端末２から画像形成装置１への文書の送信の進行状況に関する情報を操作パネル１３０の表示部１３４に表示させ、少なくとも画像形成装置１が携帯情報端末２から受信した文書の送信の進行状況を操作パネル１３０の表示部１３４に表示させる（図１１（ａ）参照）。
【０１１８】
図１４に示すように、携帯情報端末２が画像形成装置１に装着されている場合には、画像形成装置１によって読み取られた文書を携帯情報端末２の固定記憶装置２１０に保存するとき（図１４（ｂ）参照）、制御部１００は、少なくとも画像形成装置１での文書の読み取りの進行状況に関する情報を操作パネル１３０の表示部１３４に表示させ、少なくとも携帯情報端末２の固定記憶装置２１０への保存の進行状況に関する情報を操作パネル１３０の表示部１３４に表示させる（図１４（ａ）参照）。
【０１１９】
＜Ｅ．利点＞
以上、説明したように、本発明の実施の形態によれば、携帯情報端末２を画像形成装置１に装着する場合、片方の操作パネルのみで設定を行なうことにするため、惑うことなく操作することができる。
【０１２０】
また、携帯情報端末２を画像形成装置１に装着する際、操作キーのみを覆うため、２つの操作パネルを有効に利用することができる。
【０１２１】
さらに、個人の携帯情報端末２を画像形成装置１の操作パネルとして使用する場合に、機種によって異なる仕様に起因した情報を携帯情報端末２の操作パネルではなく、固定の操作パネルに表示することができるため、機種によって異なる仕様に起因した情報を、個人の携帯情報端末２にインストールする必要がなく、煩わしさをなくすことができる。
【０１２２】
さらに、２つの操作パネルのいずれかを見れば動作を把握できるため、両方のパネルの間で目線移動をする煩わしさをなくすことができる。
【０１２３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２４】
１  画像形成装置、２  携帯情報端末、３  情報処理装置、４  ネットワーク、５  外部ネットワーク、１００，２００  制御部、１０１，２０１  ＣＰＵ、１０２，２０２  ＲＯＭ、１０４，２０３  ＲＡＭ、１０５  時計ＩＣ、１０６，２０６  バス、１１０，２１０  固定記憶装置、１２０  スキャナー、１３０  操作パネル、１３１  スタートキー、１３２  ストップキー、１３３  操作キー、１３４  表示部、１４０  画像出力装置、１５０  プリンタコントローラー、１６０  ネットワークＩ／Ｆ、１７０，２７０  Ｗｉｒｅｌｅｓｓ＿ＬＡＮ＿Ｉ／Ｆ、１８０，２８０  短距離無線Ｉ／Ｆ、１９０，２９０  Ｄｏｃｋコネクタ、２２０  タッチパネル。
【図１】
0005953678.tif 000002
【図２】
0005953678.tif 000003
【図３】
0005953678.tif 000004
【図４】
0005953678.tif 000005
【図５】
0005953678.tif 000006
【図６】
0005953678.tif 000007
【図７】
0005953678.tif 000008
【図８】
0005953678.tif 000009
【図９】
0005953678.tif 000010
【図１０】
0005953678.tif 000011
【図１１】
0005953678.tif 000012
【図１２】
0005953678.tif 000013
【図１３】
0005953678.tif 000014
【図１４】
0005953678.tif 000015
【図１５】
0005953678.tif 000016
【図１６】
0005953678.tif 000017